(57)【要約】【課題】傾斜側面を有する第１ケースに好適に内部部材を収容可能な携帯電子機器を提供する。【解決手段】第１ケース１１は、第１底部１９及び第１底部１９の周囲に立設される第１側壁部２１を有する。第１側壁部２１は、頂部側ほど第１底部１９の平面視における外方に位置するように傾斜している。第２ケース１３は、外側面が、第１側壁部２１の内側面に沿って傾斜し、当該内側面に対向して配置されている。第１側壁部２１の内側面には、第２ケース１３に当接して第２ケース１３の第１底部１９から離間する方向への変位を抑制する平面部３９又は突出部４１が設けられている。【選択図】図２
2011097300.tif 000002
【特許請求の範囲】
【請求項１】
第１底部及び当該第１底部の周囲に立設される第１側壁部を有し、前記第１側壁部が、頂部側ほど前記第１底部の平面視における外方に位置するように傾斜した第１ケースと、
外側面が、前記第１側壁部の内側面に沿って傾斜し、当該内側面に対向して配置される内部部材と、
を有し、
前記第１側壁部の内側面には、前記内部部材に当接して前記内部部材の前記第１底部から離間する方向への変位を抑制する当接部が設けられている
携帯電子機器。
【請求項２】
前記当接部は、前記内部部材に対して前記第１側壁部の頂部側で当接する
請求項１に記載の携帯電子機器。
【請求項３】
前記当接部は、前記第１側壁部の内側面の一部が隆起して形成され、前記内部部材の外側面の頂部に対して当接する
請求項１又は２に記載の携帯電子機器。
【請求項４】
前記当接部は、前記内部部材の外周に沿う方向へ延在している
請求項３に記載の携帯電子機器。
【請求項５】
前記当接部は、前記底部に対して垂直な平面部である
請求項３又は４に記載の携帯電子機器。
【請求項６】
前記当接部は、前記内部部材の外側面に対向し、前記第１底部に対して垂直な第１対向部を有する、前記第１側壁部の内側面から突出する突出部であり、
前記内部部材の外側面には、前記当接部を収容可能であり、前記第１対向部に対向して当接する第２対向部を有する凹部が形成されている
請求項１に記載の携帯電子機器。
【請求項７】
前記当接部には、前記第１側壁部の頂部側に開口する凹状の係合部が形成されており、
前記凹部には、当該凹部の内部側に突出し、前記係合部に前記第１側壁部の頂部側から挿入され、前記係合部に対して前記第１ケースの内部側へ向かって係合可能な被係合部が形成されている
請求項６に記載の携帯電子機器。
【請求項８】
前記内部部材は、第２底部及び当該第２底部の周囲に立設される第２側壁部を有する第２ケースであり、
前記第２ケースは、
前記第２側壁部を構成する第３側壁部を有する板金部と、
前記第３側壁部の周囲を覆い、前記第３側壁部とともに前記第２側壁部を構成する第４側壁部を有する樹脂部と、
を有し、
前記凹部は、前記第４側壁部の肉厚の変化により形成されており、第４側壁部の外周に沿う方向において点在している
請求項６又は７に記載の携帯電子機器。
【請求項９】
前記内部部材は、第２底部及び当該第２底部の周囲に立設される第２側壁部を有する第２ケースであり、
前記第１底部と前記第２底部との間に収容される第１電子部品と、
前記第２ケースに収容され、前記第２側壁部の頂部により形成される第２開口及び前記第１側壁部の頂部により形成される第１開口から露出する第２電子部品と、
を有する請求項１〜８のいずれか１項に記載の携帯電子機器。
【請求項１０】
前記第１ケース及び前記第２ケースを含む第１筐体と、
前記第１筐体に対して移動可能に連結される第２筐体と、
を有し、
前記第１側壁部の頂部は、前記第２側壁部の頂部及び前記第２電子部品よりも突出しており、
前記第２筐体は、少なくとも一部が前記第１側壁部の頂部により形成される第１開口に収容される位置と、前記第１開口から取り出される位置との間で移動可能である
請求項９に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
薄型直方体状の筐体を有する携帯電子機器において、主としてデザイン上の観点から、一方の主面（薄型形状の表面又は裏面）が他方の主面よりも広くなるように形成された筐体を有するものが知られている。換言すれば、側面が主面に垂直な面に対して傾斜した筐体を有する携帯電子機器が知られている。例えば、特許文献１では、表示装置を有する筐体は、表示面が露出する面が、その背面よりも広くなるように形成されている。
【０００３】
また、特許文献１の技術では、筐体内にマグネシウムフレームを設け、当該マグネシウムフレームに表示装置を収容することにより、表示装置の強度的な保護を強化している。マグネシウムフレームは、表示面側が開放された概略直方体状の箱型に形成されている。直方体の角部は面取りされている。
【０００４】
なお、特許文献１において、第１ケース（筐体）に収容される内部部材として捉えることができる。
【先行技術文献】
【特許文献】
【０００５】
【特許文献１】特開２００７−１１０３２２号公報
【発明の概要】
【発明が解決しようとする課題】
【０００６】
特許文献１の携帯電子機器においては、表示面側において、第１ケースの側面と内部部材の側面との間には隙間が生じている。従って、携帯電子機器内に有効活用されないスペースが生じることになる。
【０００７】
本発明は上記の課題に鑑みてなされたもので、その目的は、傾斜側面を有する第１ケースに好適に内部部材を収容可能な携帯電子機器を提供することにある。
【課題を解決するための手段】
【０００８】
本発明の携帯電子機器は、第１底部及び当該第１底部の周囲に立設される第１側壁部を有し、前記第１側壁部が、頂部側ほど前記第１底部の平面視における外方に位置するように傾斜した第１ケースと、外側面が、前記第１側壁部の内側面に沿って傾斜し、当該内側面に対向して配置される内部部材と、を有し、前記第１側壁部の内側面には、前記内部部材に当接して前記内部部材の前記第１底部から離間する方向への変位を抑制する当接部が設けられている。
【０００９】
好適には、前記当接部は、前記内部部材に対して前記第１側壁部の頂部側で当接する。
【００１０】
好適には、前記当接部は、前記第１側壁部の内側面の一部が隆起して形成され、前記内部部材の外側面の頂部に対して当接する。
【００１１】
好適には、前記当接部は、前記内部部材の外周に沿う方向へ延在している。
【００１２】
好適には、前記当接部は、前記底部に対して垂直な平面部である。
【００１３】
好適には、前記当接部は、前記内部部材の外側面に対向し、前記第１底部に対して垂直な第１対向部を有する、前記第１側壁部の内側面から突出する突出部であり、前記内部部材の外側面には、前記当接部を収容可能であり、前記第１対向部に対向して当接する第２対向部を有する凹部が形成されている。
【００１４】
好適には、前記当接部には、前記第１側壁部の頂部側に開口する凹状の係合部が形成されており、前記凹部には、当該凹部の内部側に突出し、前記係合部に前記第１側壁部の頂部側から挿入され、前記係合部に対して前記第１ケースの内部側へ向かって係合可能な被係合部が形成されている。
【００１５】
好適には、前記内部部材は、第２底部及び当該第２底部の周囲に立設される第２側壁部を有する第２ケースであり、前記第２ケースは、前記第２側壁部を構成する第３側壁部を有する板金部と、前記第３側壁部の周囲を覆い、前記第３側壁部とともに前記第２側壁部を構成する第４側壁部を有する樹脂部と、を有し、前記凹部は、前記第４側壁部の肉厚の変化により形成されており、第４側壁部の外周に沿う方向において点在している。
【００１６】
好適には、前記内部部材は、第２底部及び当該第２底部の周囲に立設される第２側壁部を有する第２ケースであり、前記第１底部と前記第２底部との間に収容される第１電子部品と、前記第２ケースに収容され、前記第２側壁部の頂部により形成される第２開口及び前記第１側壁部の頂部により形成される第１開口から露出する第２電子部品と、を有する。
【００１７】
好適には、前記携帯電子機器は、前記第１ケース及び前記第２ケースを含む第１筐体と、前記第１筐体に対して移動可能に連結される第２筐体と、を有し、前記第１側壁部の頂部は、前記第２側壁部の頂部及び前記第２電子部品よりも突出しており、前記第２筐体は、少なくとも一部が前記第１側壁部の頂部により形成される第１開口に収容される位置と、前記第１開口から取り出される位置との間で移動可能である。
【発明の効果】
【００１８】
本発明によれば、傾斜側面を有する第１ケースに好適に内部部材を収容可能な携帯電子機器を提供することができる。
【図面の簡単な説明】
【００１９】
【図１】本発明の実施形態に係る携帯電話機の外観斜視図。
【図２】図１のＩＩａ−ＩＩａ線及びＩＩｂ−ＩＩｂ線における断面図。
【図３】図１の携帯電話機の第１ケースを第２ケース側から見た斜視図。
【図４】図１の携帯電話機の第２ケースを第１ケース側から見た斜視図。
【図５】図１の携帯電話機の回路基板及び第２ケースを示す斜視図。
【図６】図３の領域ＶＩの拡大図。
【図７】図４の領域ＶＩＩの拡大図。
【図８】本発明の変形例に係る携帯電話機の図２（ａ）に対応する断面図。
【発明を実施するための形態】
【００２０】
図１は、本発明の実施形態に係る携帯電話機１の外観を開状態で示す斜視図である。
【００２１】
携帯電話機１は、いわゆる折り畳み式の携帯電話機として構成されており、開状態と閉状態との間で、回転軸ＲＡ回りに相対回転可能に連結された第１筐体３及び第２筐体５を備えている。第１筐体３及び第２筐体５は、例えば、それぞれ概ね薄型直方体状に形成されており、閉状態では互いに重ねあわされて互いの輪郭が略一致する。
【００２２】
なお、以下では、第１筐体３及び第２筐体５それぞれに関して、閉状態において互いに対向する側を対向面側といい、その反対側を背面側ということがある。
【００２３】
第１筐体３は、対向面側が背面側よりも広くなるように形成されている。また、第１筐体３は、対向面側に凹部３ｒが形成されている。凹部３ｒは、閉状態において、第２筐体５の対向面側部分を収容する。
【００２４】
第１筐体３には、特に図示しないが、例えば、通話用のスピーカ、表示部９が設けられている。第２筐体５には、特に図示しないが、例えば、通話用のマイクロフォン、通信のための内蔵アンテナ、報知用のスピーカ、カメラ、ユーザの操作を受け付ける操作部７が設けられている。
【００２５】
表示部９は、第１筐体３の対向面側に露出している。より具体的には、凹部３ｒの底部において露出している。
【００２６】
図２（ａ）は、図１のＩＩａ−ＩＩａ線における断面図である。図２（ｂ）は、図１のＩＩｂ−ＩＩｂ線における断面図である。
【００２７】
第１筐体３においては、背面側から順に、第１ケース１１、第２ケース１３、表示装置１５及び透光部材１７が積層的に配置されている。
【００２８】
第１ケース１１、第２ケース１３及び透光部材１７は、第１筐体３を構成している。第１ケース１１及び第２ケース１３との間には、不図示の種々の電子部品が収容されている。また、第２ケース１３と透光部材１７との間には、表示装置１５が収容されている。表示装置１５は、透光部材１７とともに表示部９を構成している。
【００２９】
第１ケース１１は、第１筐体３及び第２筐体５の連結部を除いては、第２ケース１３及び透光部材１７の全体を収容しており、第１筐体３の底面全体及び側面全体を構成している。凹部３ｒの壁部は、主として、第１ケース１１により形成されており、凹部３ｒの底部は透光部材１７により構成されている。
【００３０】
表示装置１５は、例えば、液晶表示装置や有機ＥＬ表示装置により構成されている。表示装置１５は、例えば、概ね薄型の直方体状に形成されている。表示装置１５は、表示面１５ａを対向面側に向けて配置されている。
【００３１】
透光部材１７は、例えば、透光性の樹脂やガラスにより形成されている。透光部材１７は、例えば、概ね矩形の平板状に形成されている。透光部材１７は、例えば、表示面１５ａを露出させる開口が形成された枠状の両面テープにより、第２ケース１３に対して固定されている。
【００３２】
図３は、第１ケース１１を対向面側（第２ケース１３側）から見た斜視図である。
【００３３】
第１ケース１１は、例えば、樹脂により一体形成されている。第１ケース１１は、図２及び図３に示すように、第１底部１９と、第１底部１９の周囲において立設された第１側壁部２１とを有している。第１側壁部２１の頂部は、第１開口２３を形成している。
【００３４】
第１底部１９は、概ね矩形の平板状に形成されている。第１側壁部２１は、第１筐体３及び第２筐体５の連結部側（図３の上方側）を除いて、第１底部１９を囲むように設けられている。第１側壁部２１は、第１底部１９の矩形の各辺において概ね平板状に形成されている。第１側壁部２１（内側面及び外側面）は、頂部側ほど第１底部１９の平面視における外方に位置するように傾斜している。
【００３５】
図４は、第２ケース１３を背面側（第１ケース１１側）から見た斜視図である。
【００３６】
第２ケース１３は、図２及び図４に示すように、第２底部２５と、第２底部２５の周囲において立設された第２側壁部２７とを有している。第２側壁部２７の頂部は、第２開口２９（図２）を形成している。
【００３７】
第２底部２５は、概ね矩形の平板状に形成されている。第２側壁部２７は、第１筐体３及び第２筐体５の連結部側（図４の上方側）を除いて、第２底部２５を囲むように設けられている。図２に示すように、第２側壁部２７の内側面は、第２底部２５に垂直に形成されている。図２（ａ）及び図４に示すように、第２側壁部２７の外側面（後述する複数の凹部４３の非配置位置における表面）は、第２側壁部２７の頂部側ほど第２底部２５の平面視における外方に位置するように傾斜している。
【００３８】
第２ケース１３は、第２底部２５及び第２側壁部２７を構成する部材として、樹脂部３１と、樹脂部３１に少なくとも一部が埋設された板金部３３とを有している。このような第２ケース１３は、例えば、金型のキャビティに板金部３３を配置した状態でキャビティに溶融状態の樹脂を充填することにより形成される。
【００３９】
板金部３３は、第３底部３３ａと、第３底部３３ａの周囲において立設された第３側壁部３３ｂ（図２）と、第３側壁部３３ｂから外側に延在するフランジ部３３ｃ（図２）とを有している。第３底部３３ａは、概ね矩形の平板状に形成されている。第３側壁部３３ｂは、概ね第３底部３３ａを囲むように設けられている。第３側壁部３３ｂは、第３底部３３ａに対して垂直に設けられている。フランジ部３３ｃは、第３底部３３ａに平行に設けられている。
【００４０】
樹脂部３１は、板金部３３の第３底部３３ａの外側を覆う第４底部３１ａと、板金部３３の第３側壁部３３ｂの外側を覆う第４側壁部３１ｂとを有している。なお、特に図示しないが、樹脂部３１は、第３底部３３ａの内側や第３側壁部３３ｂの内側を覆う部分も有している。
【００４１】
第４側壁部３１ｂは、図２（ａ）に示すように、頂部側ほど厚くなるように形成されている。これにより、第２ケース１３の第２側壁部２７の外側面は、頂部側ほど第２底部２５の外側に位置するように傾斜している。なお、第４側壁部３１ｂは、フランジ部３３ｃの縁部も覆っている。
【００４２】
図４に示すように、第２ケース１３の第２底部２５には、比較的浅い凹部２５ｒが形成されている。凹部２５ｒは、板金部３３の第３底部３３ａにより底面が構成され、樹脂部３１の第４底部３１ａにより周囲部分（壁部）が構成されている。
【００４３】
図５（ａ）は、第１筐体３内に収容される回路基板３５を示す斜視図である。また、図５（ｂ）は、回路基板３５及び第２ケース１３を示す斜視図である。
【００４４】
これらの図に示すように、第２ケース１３の凹部２５ｒには、回路基板３５が配置される。回路基板３５は、例えば、硬質の樹脂をベースとしたリジッド式のプリント配線板により構成されている。回路基板３５は、第２ケース１３の第２底部２５に対して図５（ｂ）の右側から左側へスライドされることにより、凹部２５ｒに嵌合するとともに、凹部２５ｒに周囲に設けられた複数の係合部３７により係止される。そして、回路基板３５は、第２ケース１３の第２底部２５（板金部３３の第３底部３３ａ）と、第１ケース１１の第１底部１９との間に収容される。なお、回路基板３５の第１底部１９側の面には、ＩＣ等の複数の電子部品が実装されているが、図示は省略する。
【００４５】
図２及び図３を参照して説明したように、第１ケース１１の第１側壁部２１は、傾斜して立設されている。このような構成において、従来は、第２ケース（１３）の第２側壁部（２７）は、第２底部（２５）に対して垂直に立設されており、第１底部（１９）から比較的離れた位置においては、第１側壁部（２１）の内側面に当接していなかった。
【００４６】
しかし、図２（ａ）に示すように、本実施形態では、第２側壁部２７の外側面は、第１側壁部２１の内側面と同様に傾斜するように形成されている。その結果、第２側壁部２７は、第１底部１９から比較的離れた位置において、第１側壁部２１の内側面に当接する。
【００４７】
その結果、第２ケース１３は、第１ケース１１に対して対向面側（第１開口２３）側に浮き上がり易くなっている。具体的には、以下のとおりである。
【００４８】
図２（ａ）において矢印ｙ０で示すように、第１ケース１１の第１底部１９側において、第１ケース１１の第１側壁部２１に対して外側から内側へ荷重が加えられた場合を考える。この場合、第１底部１９が第１側壁部２１の内側への移動を阻止するので、第１側壁部２１から第２ケース１３の第２側壁部２７への荷重の伝達は生じにくい。
【００４９】
次に、矢印ｙ１で示すように、第１底部１９から比較的離れた位置において、第１側壁部２１に対して外側から内側へ荷重が加えられた場合を考える。この場合、第１側壁部２１が弾性変形することにより、荷重は、第２側壁部２７に伝達される。第１側壁部２１は、傾斜していることから、当該荷重は、矢印ｙ２で示すように、第２側壁部２７を第１側壁部２１の内側面に沿って第１開口２３側へ移動させる力として作用する。
【００５０】
以上のとおり、本実施形態においては、第２側壁部２７の外側面が傾斜し、第１底部１９から比較的離れた位置において、第１側壁部２１の内側面に当接していることから、従来に比較して、第２ケース１３は、浮き上がり易くなっている。このような浮き上がりは、それ自体好ましくなく、また、異音の原因ともなる。
【００５１】
そこで、携帯電話機１は、このような浮き上がりを抑制するために、以下のような構成を有している。
【００５２】
図２（ａ）に示すように、第１ケース１１の第１側壁部２１は、内側面が頂部側において隆起しており、頂部側に厚肉部が形成されている。そして、第１底部１９側の薄肉部と第１開口２３側の厚肉部との段差には、第１底部１９に垂直な平面部３９が形成されている。平面部３９は、第１側壁部２１の内周に沿う方向（第１開口２３の周方向）に延在している。
【００５３】
平面部３９は、第１側壁部２１の内側面（より厳密には、薄肉部の傾斜した内側面）に沿う方向において、第２ケース１３の第２側壁部２７の頂部に対して、第１側壁部２１の頂部側から第１底部１９側へ当接している。これにより、第２側壁部２７の矢印ｙ２で示す方向への移動が規制される。
【００５４】
図６は、図３の領域ＶＩの拡大図である。図７は、図４の領域ＶＩＩの拡大図である。
【００５５】
携帯電話機１は、第２ケース１３の浮き上がりを防止するために、更に、第１ケース１１に形成された複数の突出部４１（図２（ｂ）、図３及び図６）と、第２ケース１３に形成され、複数の突出部４１を収容可能な複数の凹部４３（図２（ｂ）、図４及び図７）とを有している。
【００５６】
図３に示すように、突出部４１は、第１側壁部２１の内周に沿う方向（第１開口２３の周方向）において複数設けられている。図６に示すように、突出部４１は、板状部４１ａ及び支持部４１ｂを有している。板状部４１ａは、矩形の平板状に形成されている。板状部４１ａは、第１側壁部２１の内側面において立設されており、第１底部１９に対して垂直に設けられている。支持部４１ｂは、第１側壁部２１の内側面と、板状部４１ａの頂部側部分との隙間に介在し、第１側壁部２１と板状部４１ａとの固定を強化している。板状部４１ａは、第１底部１９に対して垂直な、第１ケース１１の内側に面する第１対向部４１ｃを有している。
【００５７】
図４に示すように凹部４３は、第２側壁部２７の外周に沿う方向（第２開口２９の周方向）において複数設けられている（点在している）。図７に示すように、凹部４３は、第２側壁部２７の頂部側ほど深くなるように形成されている。これにより、凹部４３には、第２底部２５に対して垂直な、第２ケース１３の外側に面する第２対向部４３ｃが形成されている。凹部４３は、樹脂部３１の第４側壁部３１ｂの肉厚の変化によって形成されている。
【００５８】
図２（ｂ）に示すように、突出部４１が凹部４３に収容されると、第１対向部４１ｃと第２対向部４３ｃとは互いに対向して当接する。より具体的には、第１対向部４１ｃは、第１側壁部２１の内側面（厳密には、図２（ａ）に示す傾斜した内側面）に沿う方向において第２対向部４３ｃ（第２側壁部２７）に第１側壁部２１の頂部側から第１底部１９側へ当接する。これにより、第２ケース１３の浮き上がりが抑制される。
【００５９】
さらに、突出部４１及び凹部４３は、第１側壁部２１に対して図２（ｂ）において矢印ｙ４で示す方向に加えられる荷重による、第１側壁部２１を開く変形を抑制する機能も有する。具体的には、以下のとおりである。
【００６０】
図６に示すように、板状部４１ａの頂部側部分と、第１側壁部２１の内側面との間には隙間が生じている。換言すれば、突出部４１は、第１側壁部２１の頂部側に開口する凹状の係合部４１ｄを有している。
【００６１】
一方、図７に示すように、凹部４３は、凹部４３の内部側に突出する被係合部４３ｄを有している。より具体的には、被係合部４３ｄは、凹部４３の、第２側壁部２７の頂部側且つ凹部４３の縁部側において、第２底部２５側に突出する突条に形成されている。
【００６２】
図２（ｂ）に示すように、突出部４１が凹部４３に収容されると、被係合部４３ｄは、係合部４１ｄに第１側壁部２１の頂部側から挿入され、係合部４１ｄに対して第１ケース１１の内部側へ向かって係合する。これにより、図２（ｂ）における矢印ｙ４の方向に荷重が加えられた場合でも、第１側壁部２１の外側への弾性変形は抑制される。
【００６３】
また、携帯電話機１は、第２ケース１３の浮き上がりを防止するために、第１ケース１１に形成された複数のリブ４５（図３）と、第２ケース１３に形成され、複数のリブ４５を収容可能な複数の凹部４７（図４）とを有している。
【００６４】
リブ４５及び凹部４７は、突出部４１及び凹部４３と同様に、第１底部１９に垂直な対向部同士を当接させることにより、第２ケース１３の浮き上がりを抑制する。一の凹部４７は、複数のリブ４５を収容可能である。
【００６５】
以上の実施形態によれば、携帯電話機１は、第１ケース１１及び第２ケース１３を有する。第１ケース１１は、第１底部１９及び第１底部１９の周囲に立設される第１側壁部２１を有する。第１側壁部２１は、頂部側ほど第１底部１９の平面視における外方に位置するように傾斜している。第２ケース１３は、第２底部２５及び第２底部２５の周囲に立設される第２側壁部２７を有する。また、第２ケース１３は、第２底部２５側を第１底部１９側に、第２側壁部２７の頂部側を第１側壁部２１の頂部側にして第１ケース１１に収容される。第２側壁部２７の外側面は、第１側壁部２１の内側面に沿って傾斜し、当該内側面に当接している。第１側壁部２１の内側面には、当該内側面に沿う方向において第２側壁部２７に第１側壁部２１の頂部側から第１底部１９側へ当接可能な平面部３９又は突出部４１が設けられている。
【００６６】
従って、第１ケース１１の第１側壁部２１と第２ケース１３の第２側壁部２７との間に隙間が生じず、第１ケース１１内のスペースが有効利用されるとともに、第２ケース１３は第１ケース１１の強度補強に寄与し得る。
【００６７】
さらに、第２側壁部２７を傾斜させて第１側壁部２１との間の隙間を無くしたことにより、新たに生じる課題（従来技術においては生じ得ない課題）、すなわち、第２ケースの浮き上がりを抑制することもできる。
【００６８】
なお、第２ケース１３の内部空間は、板金部３３が直方体状に形成されていることにより、第２開口２９側において拡径していない。しかし、この場合であっても、第１筐体３の容積は拡張される。具体的には、以下のとおりである。樹脂部３１の第４側壁部３１ｂは、板金部３３の第３側壁部３３ｂからの剥がれ抑制などの目的から、ある程度厚く形成される必要がある。一方、第３側壁部３３ｂが第３底部３３ａに対して垂直に、第４側壁部３１ｂの外側面が第４底部３１ａに対して傾斜して形成されると、第４側壁部３１ｂは、第２開口２９側において厚みが確保される。従って、第４底部３１ａ側においては、第４側壁部３１ｂを薄くすることができる。その結果、板金部３３を広く形成したり、回路基板３５が配置される凹部２５ｒを広く形成したりすることができる。
【００６９】
平面部３９は、第１側壁部２１の内側面の一部が隆起して形成され、第２側壁部２７の頂部に対して当接する。従って、第２側壁部２７においては、頂部が係合に利用され、設計変更等の必要性がない。一般に、第１ケース１１及び第２ケース１３の設計及び製造においては、視認可能な部位の精度が高く設定されたり、視認可能な部位が設計の基準（公差が累積しない位置）とされたりする。従って、視認される第２側壁部２７の頂部位置において当接部を形成することにより、当接部の精度を高くすることができる。その結果、平面部３９と第１側壁部２１の内側面との成す角が鈍角であるにも関わらず、確実な係合を行うことができる。
【００７０】
平面部３９は、第２側壁部２７の内周に沿う方向へ延在している。ここで、平面部３９は、第１側壁部２１の内側面及び第２側壁部２７の外側面に対して傾斜しているから、これらの隙間を隠す作用がある。従って、このような平面部３９が延在していることにより、塵の侵入が効果的に抑制されたり、美観が向上したりする。
【００７１】
平面部３９は、第１底部１９に対して垂直な平面部である。従って、第１側壁部２７の頂部側の肉厚部における幅ｗ１（図２（ａ））を薄くすることができる。当該作用については、後述する変形例の説明において述べる。
【００７２】
突出部４１は、第１側壁部２１の内側面から突出している。そして、突出部４１は、第２側壁部２７の外側面に対向し、第１底部１９に対して垂直な第１対向部４１ｃを有する。第２側壁部２７の外側面には、突出部４１を収容可能であり、第１対向部４１ｃに対向して当接する第２対向部４３ｃを有する凹部４３が形成されている。従って、第２ケース１３の浮き上がりを抑制するための係合位置を任意の位置に、且つ、任意の大きさで確保することができる。また、第１対向部４１ｃ及び第２対向部４３ｃは、第１底部１９及び第２底部２５に対して垂直であるから、第１底部１９及び第２底部２５に直交する方向を型開閉方向とする金型により無理なく形成される。
【００７３】
突出部４１には、第１側壁部２１の頂部側に開口する凹状の係合部４１ｄが形成されている。凹部４３には、凹部４３の内部側に突出し、係合部４１ｄに第１側壁部２１の頂部側から挿入され、係合部４１ｄに対して第１ケース１１の内部側へ向かって係合可能な被係合部４３ｄが形成されている。
【００７４】
従って、上述したように、第１側壁部２１の開く方向への変形が抑制される。また、図２（ｂ）から理解されるように、第１側壁部２１の頂部側から第１底部１９側への、第１側壁部２１の内側面及び第２側壁部２７の外側面に沿う経路は、Ｓ字状に屈曲することになる。その結果、第１側壁部２１の内側面と第２側壁部２７の外側面との隙間を介して、水分、塵、静電気等が第１筐体３内部へ侵入したり、逆に、光等が第１筐体３外部へ放出されることが抑制される。
【００７５】
第２ケース１３は、板金部３３及び樹脂部３１を有する。板金部３３は、第２側壁部２７を構成する第３側壁部３３ｂを有する。樹脂部３１は、第３側壁部３３ｂの周囲を覆い、第３側壁部３３ｂとともに第２側壁部２７を構成する第４側壁部３１ｂを有する。凹部４３は、第４側壁部３１ｂの肉厚の変化により形成されており、第４側壁部３１ｂの外周に沿う方向（第２開口２９の周方向）において点在している。上述のように、第４側壁部３１ｂは、ある程度の厚さが確保される必要がある。従って、第４側壁部３１ｂに沿って長い一の凹部を形成するのではなく、複数の凹部４３を点在させることにより、第４側壁部３１ｂを厚くすることと、第２ケース１３の浮き上がりを抑制することとをバランスさせることができる。
【００７６】
携帯電話機１は、第１底部１９と第２底部２５との間に収容される回路基板３５と、第２ケース１３に収容され、第２側壁部２７の頂部により形成される第２開口２９及び第１側壁部２１の頂部により形成される第１開口２３から露出する表示装置１５とを有する。従って、上述のように容積が広くされた第１筐体３に好適に電子部品を配置し、第１筐体３の小型化を図ることができる。また、表示面１５ａを第１筐体３の大きさに対して広く確保することができる。
【００７７】
携帯電話機１は、第１ケース１１及び第２ケース１３を含む第１筐体３と、第１筐体３に対して移動可能に連結される第２筐体５とを有する。第１側壁部２１の頂部は、第２側壁部２７の頂部及び表示装置１５よりも突出している。第２筐体５は、少なくとも一部が第１側壁部２１の頂部により形成される第１開口２３に収容される位置と、第１開口２３から取り出される位置との間で移動可能である。
【００７８】
従って、閉状態においては、各筐体の対向面は第１側壁部２１により隠される。これにより、対向面側に設けられた表示部９や操作部７をより確実に保護することができる。このような、第１側壁部２１の頂部が表示装置１５等よりも突出する構成においては、第１側壁部２１の端部に力が加えられ易く、また、加えられる力は、大きなモーメントを生じやすい。すなわち、第１側壁部２１の変形や第２ケース１３の浮き上がりが生じやすい。しかし、第２側壁部２７の外側面が傾斜して第１側壁部２１の内側面に当接したり、平面部３９や突出部４１が設けられたりしていることにより、第１側壁部２１の変形や第２ケース１３の浮き上がりが抑制される。
【００７９】
なお、以上の実施形態において、携帯電話機１は、本発明の携帯電子機器の一例であり、第２ケース１３は本発明の内部部材の一例であり、平面部３９及び突出部４１は、それぞれ本発明の当接部の一例であり、回路基板３５は本発明の第１電子部品の一例であり、表示装置１５は本発明の第２電子部品の一例である。
【００８０】
（変形例）
図８は、本発明の変形例に係る携帯電話機１０１の図２（ａ）に対応する断面図である。この変形例では、実施形態における第１底部１９に垂直な平面部３９に代えて、第１底部１９に垂直な位置よりも第１底部１９に対向する側へ傾斜した平面部１３９が設けられている。このような平面部１３９によっても、第２ケース１３の浮き上がりを抑制することができる。
【００８１】
ここで、第１ケース１１１（１１）の第１側壁部１２１（２１）は、強度の観点等から、最も薄い箇所でも幅ｗ０を必要とする。変形例の第１側壁部１２１は、平面部１３９が傾斜していることから、更に、内側へ幅ｗ２の肉厚を要する。従って、変形例の第１側壁部１２１の幅ｗ３は、実施形態の第１側壁部２１の幅ｗ１よりも大きくなる。換言すれば、実施形態の携帯電話機１は、平面部３９を第１底部１９に対して垂直にすることにより、第１ケース１１に対する表示面１５ａの相対的な広さを大きくすることができる。
【００８２】
本発明は、以上の実施形態に限定されず、種々の態様で実施されてよい。
【００８３】
携帯電子機器は、携帯電話機に限定されず、例えば、ＰＤＡ、デジタルカメラ、ノートパソコン、ゲーム機であってもよい。携帯電子機器全体の筐体は、連結された２つの筐体により構成されるものに限定されず、例えば、一体の筐体のみから構成されていてもよい。なお、第１ケース及び第２ケース等における底部は、開口に対して底の意であり、重力方向の下側であることを意味しない。
【００８４】
また、本実施形態においては、内部部材を第２ケースとして説明を行っているが、本発明はこれに限定されず、外側面が第１側壁部の内側面に沿って傾斜し当該内側面に当接するものであれば、表示装置やバッテリー等の他の部材であってもよい。
【００８５】
第１底部と第２底部との間には、第１電子部品が配置されなくてもよい。換言すれば、第１ケース及び第２ケースを有する筐体は、第２ケース内にのみ電子部品を収容してもよい。逆に、当該筐体は、第１底部と第２底部との間にのみ電子部品を有し、第２ケース内に電子部品を有していなくてもよい。また、第１電子部品を回路基板、第２電子部品を表示装置として説明を行っているが、これに限定されない。
【００８６】
第１ケースに設けられる当接部（３９、４１）は、第２ケースに対して面接触するものに限定されず、線接触するものや点接触するものであってもよい。
【符号の説明】
【００８７】
１…携帯電話機（携帯電子機器）、１１…第１ケース、１３…第２ケース（内部部材）、１９…第１底部、２１…第１側壁部、２５…第２底部、２７…第２側壁部、３９…平面部（当接部）、４１…突出部（当接部）。
【図１】
2011097300.tif 000003
【図２】
2011097300.tif 000004
【図３】
2011097300.tif 000005
【図４】
2011097300.tif 000006
【図５】
2011097300.tif 000007
【図６】
2011097300.tif 000008
【図７】
2011097300.tif 000009
【図８】
2011097300.tif 000010